(57)【要約】      （修正有）【課題】トウシューズの内部に形よく納まるとともに取り出しやすく、かつ装飾性のあるトウシューズ用消臭・除湿袋の提供。【解決手段】トウシューズの内部の形状に合わせて裁断した３枚の通気性不織布を立体的な袋状に形成し、消臭剤及び除湿剤を封入することでトウシューズの内部に形よく納まり、トウシューズの内部の臭いや湿気を除去することができる。立体的な袋状に形成したレース布地のカバーをつけ、下部にひも状のリボンでつくった輪を取り付けることで取り出しやすく、かつ装飾的にすることができる。トウシューズの中に入れた状態でもトウシューズはコンパクトに収納することができ持ち運ぶことができる。本考案で用いられる消臭剤及び除湿剤は天日に干すことにより再生使用可能であり、トウシューズ用消臭・除湿袋はレース布地のカバーをつけたまま天日に干すことで繰り返し使用できる。【選択図】図１
0003122997.tif 000002
【実用新案登録請求の範囲】
【請求項１】
トウシューズの内部に形よく納まるようにトウシューズの内部の形状に合わせて裁断された形の異なる３枚の通気性不織布を立体的な袋状に形成し、消臭剤及び除湿剤を封入したことを特徴とするトウシューズ用消臭・除湿袋。
【請求項２】
前記３枚の通気性不織布は、楕円形状の下面と三日月形状の上面前方部とタマゴ形の上面後方部から形成されておりかつ下面の長さはトウシューズの底面の長さの約２分の１にしたことを特徴とする請求項１に記載のトウシューズ用消臭・除湿袋。
【請求項３】
前記請求項１及び請求項２に記載の形の異なる３枚の通気性不織布と同じ型に裁断したレース布地で立体的に形成された袋を請求項１及び請求項２に記載のトウシューズ用消臭・除湿袋のカバーとし３枚のうち上面になるタマゴ形にはレース布地にアイロンプリントもしくはサテン地に刺繍をし、上面部分になる三日月形状のレース布地を縫い合わせた部分に飾りのレースをつけ、袋の下部にはひも状リボンの輪を取り付け取り出しやすくまた外観的にも装飾的であることを特徴とする請求項１及び請求項２に記載のトウシューズ用消臭・除湿袋。
【請求項４】
前記請求項１から請求項３に記載の消臭剤及び除湿剤は竹炭、木炭、シリカゲルの中から選ばれた１種又は２種以上であり、天日に干すことにより再生使用可能に構成したことを特徴とする請求項１から請求項３に記載のトウシューズ用消臭・除湿袋。
【考案の詳細な説明】
【技術分野】
【０００１】  本考案はトウシューズの内部に収納して使用される、トウシューズ用消臭・除湿袋に関するものである。
【背景技術】
【０００２】  トウシューズは洗濯することのできない素材で作られているため、使用する内に汗等で湿気がこもり、また悪臭も発生してくる。従来の消臭剤・除湿剤を使用することによってある程度の消臭・除湿は可能である。しかしトウシューズの内部の形状に合っていないため形よく納まらず、また外観的にも装飾的でない。
【考案の開示】
【考案が解決しようとする課題】
【０００３】  従来の消臭・除湿剤袋は、トウシューズの内部の形状に合っていないためトウシューズ内部全体の消臭、除湿をする事は困難であった。また外観的にも装飾的ではなかった。
本考案はトウシューズの内部の形状に合わせて立体的に形成された通気性不織布製のトウシューズ用消臭・除湿袋を使用するとともに、レース布地でカバーし、ひも状のリボンを輪にしたものを取り付けて前述の欠点を解決しようとするものである。
【課題を解決するための手段】
【０００４】  本考案はトウシューズの内部の形状に合わせて裁断された３枚の通気性不織布を立体的な袋状に形成し消臭剤・除湿剤を封入したトウシューズ用消臭・除湿袋でトウシューズの内部に形よく納まることでトウシューズの内部の臭いや湿気を除去することができる。【０００５】  本考案は、前記３枚の通気性不織布の形をトウシューズの内面に合わせて、楕円形状の底面部と三日月形状の上面前方部とタマゴ形の上面後方部で形成し、それらを袋状に溶着させることでよりトウシューズの内部の型に近い状態の通気性不織布製袋にできる。【０００６】  本考案は、トウシューズ用消臭・除湿袋の底面の長さを、トウシューズの底面の約２分の１の長さにすることで、トウシューズの中にトウシューズ用消臭・除湿袋入れた状態でもトウシューズをコンパクトに収納することができ、持ち運ぶことができる。【０００７】  本考案は前記３枚の通気性不織布と同じ型でレース布地を裁断し、上面の部分になるタマゴ形にはレース布地にアイロンプリントもしくはサテン地に刺繍をし、飾り用レースをつけ袋状に形成したものを、通気性不織布製のトウシューズ用消臭・除湿袋のカバーにするとともにひも状のリボンを輪にしたものを下部に取りつけ、レース布地でつくった花をつけることにより、トウシューズ用消臭・除湿袋を取り出しやすく、かつ装飾的にすることができる。【０００８】  本考案で用いる消臭剤及び除湿剤としては、竹炭、木炭、シリカゲルがあげられ天日に干すことにより、再生使用可能で繰り返し使用できる構成が望ましい。
前記消臭剤及び除湿剤としては、前述の中から選ばれた１種または２種類以上である。
【考案の効果】
【０００９】  前述のように本考案のトウシューズ用消臭・除湿袋はトウシューズの内部に形よく納まり、トウシューズ内部の臭いや湿気を全体的に除去するのでトウシューズの内部が気持ちよく保たれる。またトウシューズの中に入れた状態でもトウシューズはコンパクトに収納することができ、持ち運ぶことができる。また取り出しやすく、外観的にも装飾的である。
【考案を実施するための最良の形態】
【００１０】  通気性不織布で底面になる楕円形状のもの、上面の部分になる三日月形状とタマゴ形のもの３枚を裁断し、立体的な袋になるように消臭剤及び除湿剤の挿入口を残して溶着し、消臭剤及び除湿剤を封入し挿入口を溶着する。レース布地を通気性不織布の型に縫い代分を加えた寸法に裁ち、上面の部分になる三日月形状とタマゴ形のものとを縫い合わせ飾りのレースを縫い付け、底面の楕円形状のものとを中表にし下部にひも状のリボンで作った輪をはさみ、つま先部分を残して縫い合わせる。表に返して、つま先部分の開いたところから消臭剤及び除湿剤を封入した通気性不織布製袋を入れ縫い合わせる。
【実施例】
【００１１】  以下、添付図面に従って一実施例を説明する。図２は消臭剤及び除湿剤を封入した通気性不織布製のトウシューズ用消臭・除湿袋１にであり、図１は図２の消臭剤及び除湿剤を封入した通気性不織布製のトウシューズ用消臭・除湿袋１にレース布地のカバー３をし、飾りのレース４をつけ、ひも状のリボンで作った輪５を下部に取り付けレース布地でつくった花６を付けたものである。図３はトウシューズ用消臭・除湿袋の使用状態の例を示したものである。【００１２】  図２は通気性不織布を図２のａ、図２のｂの形になるように、三日月形状、タマゴ形、楕円形状の異なる形の３枚に裁断し、消臭剤及び除湿剤の挿入口を残し溶着することにより立体的な袋状に形成され、消臭剤及び除湿剤を入れ挿入口を溶着するとトウシューズの内部に形よく納まる。【００１３】  図１はレース布地で通気性不織布の３枚の型に縫い代分を加えた寸法に裁断しタマゴ形はレース布地にアイロンプリントしたもの、もしくはサテン地に刺繍をし三日月形状のレース布地とを縫い合わせ、縫い合わせた部分に飾りのレース４を縫い付け底面になる楕円形状のレース布地とを中表にし下部にひも状のリボンで作った輪５をはさみ、つま先部分を残して縫い合わせる。それを表に返してつま先部分の開いたところから消臭剤及び除湿剤２を封入した通気性不織布製袋１を入れ、つま先部分を縫い合わせレース布地でつくった花６をつける。【００１４】  図３は通気性不織布製のトウシューズ用消臭・除湿袋１にレース布地でカバーをし、ひも状リボンの輪５を取り付け、取り出しやすく、かつ装飾的なトウシューズ用消臭・除湿袋３をトウシューズ内に形よく納め使用している例である。【００１５】  本考案の一実施例は上述の如き構成からなるものであるから、トウシューズ用消臭・除湿袋はトウシューズの内部に形よく納まり、トウシューズ内部の消臭・除湿ができる。またトウシューズの中に入れた状態でもトウシューズはコンパクトに収納することができ、持ち運ぶことができる。また取り出しやすく、外観的にも装飾的になる。
【図面の簡単な説明】
【００１６】
【図１】本考案のトウシューズ用消臭・除湿袋の平面図ａ、底面図ｂ、側面図ｃを示したものである。
【図２】消臭剤及び除湿剤を封入した通気性不織布製のトウシューズ用消臭・除湿袋の平面図ａ、底面図ｂ、側面図ｃ、図２−ａのＡ−Ａの断面図ｄを示したものである。
【図３】本考案のトウシューズ用消臭・除湿袋の使用状態の例を示したものである。
【符号の説明】
【００１７】  １  消臭剤及び除湿剤を封入した通気性不織布製袋
２  消臭剤及び除湿剤
３  消臭剤及び除湿剤を封入した通気性不織布製袋にレース布地でカバーをつけたもの
４  飾り用レース
５  ひも状リボンで作った輪
６  レース布地で作った花
７  トウシューズ
【図１】
0003122997.tif 000003
【図２】
0003122997.tif 000004
【図３】
0003122997.tif 000005
【手続補正書】
【提出日】平成18年3月28日(2006.3.28)
【手続補正１】
【補正対象書類名】実用新案登録請求の範囲
【補正対象項目名】全文
【補正方法】変更
【補正の内容】
【実用新案登録請求の範囲】
【請求項１】
トウシューズの内部に形よく納まるようにトウシューズの内部の形状に合わせて裁断された形の異なる３枚の通気性不織布を立体的な袋状に形成し、消臭剤及び除湿剤を封入したことを特徴とするトウシューズ用消臭・除湿袋。
【請求項２】
前記３枚の通気性不織布は、楕円形状の下面と三日月形状の上面前方部とタマゴ形の上面後方部から形成されておりかつ下面の長さはトウシューズの底面の長さの約２分の１にしたことを特徴とする請求項１に記載のトウシューズ用消臭・除湿袋。
【請求項３】
前記形の異なる３枚の通気性不織布と同じ型に裁断した３枚のレース布地で、立体的に形成された袋をカバーとして備えるトウシューズ用消臭・除湿袋であって、３枚のうち上面になるタマゴ形にはレース布地にアイロンプリントもしくはサテン地に刺繍をし、上面部分になる三日月形状のレース布地を縫い合わせた部分に飾りのレースをつけ、袋の下部にはひも状リボンの輪を取り付け、取り出しやすくまた外観的にも装飾的であることを特徴とする請求項１または請求項２記載のトウシューズ用消臭・除湿袋。
【請求項４】
前記消臭剤及び除湿剤は竹炭、木炭、シリカゲルの中から選ばれた１種または２種以上であり、天日に干すことにより再生使用可能に構成したことを特徴とする請求項１〜３のいずれか一項に記載のトウシューズ用消臭・除湿袋。